(57)【要約】【課題】  製造が容易で安価な装置でマークを、コントラスト良く、高精度に観察する。【解決手段】  光を透過する材料からなる被観察体２の内部に埋め込まれている、光を透過しない材料からなるマーク１を観察するものであって、被観察体の観察面２ａと反対側の面に、光を拡散する材料を配置してなる光拡散手段３と、被観察体にその観察面側から光を照射する光照射手段４と、光照射手段と上記マークとの間に配置され、光照射手段からマークの観察面に至る光を遮る遮光手段６とを備えた照明装置。また、光照射手段からの光がマークにその観察面側から照射されるのを遮り、かつ、光照射手段からの光を被観察体にその観察面側から照射し、この照射された光が、被観察体および上記被観察体の観察面と反対側の面に配置された光拡散手段を経て、被観察体をその観察面と反対の側から透過照明する照明方法。【選択図】        図１
2005070016.tif 000002
【特許請求の範囲】
【請求項１】
光を透過する材料からなる被観察体の内部に埋め込まれている、光を透過しない材料からなるマークを観察する照明装置であって、
上記被観察体の観察面と反対側の面に、光を拡散する材料を配置してなる光拡散手段と、
上記被観察体にその観察面側から光を照射する光照射手段と、
上記光照射手段と上記マークとの間に配置され、上記光照射手段から上記マークの観察面に至る光を遮る遮光手段と
を備えたことを特徴とする照明装置。
【請求項２】
光照射手段を、マークを囲むようにリング状に配置したことを特徴とする請求項１に記載の照明装置。
【請求項３】
遮光手段は、光照射手段から被観察体に照射される光の内、上記被観察体の観察面に対して垂直に照射される光を境とし、それよりもマーク側に傾斜して照射される光を遮ることを特徴とする請求項１に記載の照明装置。
【請求項４】
光拡散手段の被観察体と反対の側に、光を吸収する光吸収手段を備えたことを特徴とする請求項１に記載の照明装置。
【請求項５】
光を透過する材料からなる被観察体の内部に埋め込まれている、光を透過しない材料からなるマークを観察する照明方法であって、
光照射手段からの光が上記マークにその観察面側から照射されるのを遮り、かつ、
上記光照射手段からの光を上記被観察体にその観察面側から照射し、この照射された光が、上記被観察体および上記被観察体の観察面と反対側の面に配置された光拡散手段を経て、上記被観察体をその観察面と反対の側から透過照明することを特徴とする照明方法。
【発明の詳細な説明】
【技術分野】
【０００１】
本発明は、照明装置および照明方法に関し、特に、光を透過する材料（以下、透光性材料と呼ぶ。）からなる被観察体の内部に埋め込まれている、光を透過しない材料（以下、非透光性材料と呼ぶ。）からなるマークを、コントラスト良く、高精度に観察することが可能な照明装置に関するものである。
【背景技術】
【０００２】
透光性材料からなる被観察体の内部に埋め込まれている非透光性材料からなるマークをカメラなどで観察するのに、被観察体にその観察面側から光を当ててマークによる反射光を読み取ろうとすると、被観察体の表面（観察面）での反射により正確な読み取りが困難になる場合がある。
【０００３】
そこで、従来のこの種の照明装置および照明方法においては、位置決めマークが形成された多層プリント配線板をＸ−Ｙテーブルに載置し、Ｘ−Ｙテーブルに埋め込まれたＬＥＤ（光源）からの光が多層プリント配線板の位置決めマークにより遮蔽されてできるシルエットを、カメラにより読み取り、多層プリント配線板の位置決めマークの位置を測定している（例えば、特許文献１参照）。したがって、非透光性材料からなる位置決めマークが、透光性材料からなる多層プリント配線板（被観察体）の内部に埋め込まれている場合にも、位置決めマークを正確に読み取ることができる。
【０００４】
【特許文献１】特開平１０−２００２７０号公報（第１頁、第１図）
【発明の開示】
【発明が解決しようとする課題】
【０００５】
従来の照明装置は、以上のように構成されているので、ＬＥＤ（光源）をＸ−Ｙテーブルに埋め込むのにＸ−Ｙテーブルを加工しなければならず、製造が容易でなく、しかも高価につくなどの問題点があった。
【０００６】
本発明は、上記のような従来のものの問題点を解決するためになされたものであり、透光性材料からなる被観察体の内部に埋め込まれている、非透光性材料からなるマークを、コントラスト良く、高精度に観察することができる、製造が容易で安価な照明装置および照明方法を提供することを目的とするものである。
【課題を解決するための手段】
【０００７】
本発明に係る照明装置は、透光性材料からなる被観察体の内部に埋め込まれている、非透光性材料からなるマークを観察する照明装置であって、上記被観察体の観察面と反対側の面に、光を拡散する材料を配置してなる光拡散手段と、上記被観察体にその観察面側から光を照射する光照射手段と、上記光照射手段と上記マークとの間に配置され、上記光照射手段から上記マークの観察面に至る光を遮る遮光手段とを備えたものである。
【０００８】
また、本発明に係る照明方法は、光を透過する材料からなる被観察体の内部に埋め込まれている、光を透過しない材料からなるマークを観察する照明方法であって、
光照射手段からの光が上記マークにその観察面側から照射されるのを遮り、かつ、
上記光照射手段からの光を上記被観察体にその観察面側から照射し、この照射された光が、上記被観察体および上記被観察体の観察面と反対側の面に配置された光拡散手段を経て、上記被観察体をその観察面と反対の側から透過照明するものである。
【発明の効果】
【０００９】
上記のように構成された照明装置においては、光照射手段からの光は、透光性材料からなる被観察体を透過して光拡散手段に至り、光拡散手段による散乱光が、被観察体をその観察面と反対の側から透過照明するので、被観察体の内部に埋め込まれている非透光性材料からなるマークの良好なシルエットを高精度に観察することができる。
さらに、光照射手段からマークの観察面に至る光を遮光手段で遮光しているため、マークが金属等の反射し易い材料で形成されている場合でも、コントラスト良く観察することができる。
しかも、光照射手段は被観察体の観察面側から光を照射するので、上記従来の照明装置におけるように、光源をＸ−Ｙテーブルに埋め込まなくてもよく、被観察体の観察面と反対側の面に、光を拡散する材料を配置するだけでよいので、製造が容易で、しかも安価な照明装置が得られる。
【００１０】
また、上記のような照明方法においては、透光性材料からなる被観察体の内部に埋め込まれている、非透光性材料からなるマークを、コントラスト良く、高精度に観察することができる。
しかも、光照射手段は被観察体の観察面側から光を照射するので、上記従来の照明装置におけるように、光源をＸ−Ｙテーブルに埋め込まなくてもよく、被観察体の観察面と反対側の面に、光を拡散する材料を配置するだけでよいので、製造が容易で、しかも安価である。
【発明を実施するための最良の形態】
【００１１】
実施の形態１．
図１は本発明の実施の形態１による照明方法および照明装置の構成を説明するための断面図である。
被観察体２は透光性材料からなり、透明あるいは半透明である。被観察体２の内部には、非透光性材料からなる不透明のマーク（内挿マーク）１が埋め込まれている。
被観察体２の観察面２ａと反対側（図では下側である。）の面には、光を拡散する材料を配置してなる光拡散手段として、拡散板３が配置されている。本実施の形態では、拡散板３として、ガラスクロスが織り込まれたエポキシ樹脂を用いている。
また、被観察体２および拡散板３は台５に乗せられており、光照射手段に相当する光源４は、被観察体２の観察面２ａ側（図では上側である。）から被観察体２を照明している。光源４は、例えばＬＥＤからなり、マーク１を取り囲むようにリング状に配置されている。
さらに、光源４からマーク１の観察面１ａに至る光２２を遮る遮光手段に相当する筒状（例えば円筒状）の遮蔽体６が、光源４とマーク１との間に、マークを取り囲むように配置されている。
【００１２】
このように構成されたものにおいて、光源４から出た光は被観察体２を透過し、矢印２０で示すように拡散板３で散乱する。その一部は拡散板３の中を進行し、さらに拡散すると、一部は被観察体２に向かう（図では上向きである。）光２１となる。この光２１は、被観察体３をその観察面３ａと反対の側（図では下側である。）から透過照明するため、観察面３ａ側（図では上である。）から観察すると、内挿マーク１のシルエット像が高精度に観察される。
【００１３】
このとき、マーク１の観察面１ａで反射した光２３で、マーク１が明るくなると、拡散板３による透過照明で暗く観察されていたマーク１のコントラストが低下してしまう。しかしながら、本実施の形態では、光源４とマーク１との間に遮蔽体６を置いて、マーク１の観察面１ａに光源４からの光が照射されないようにしている。このように、光源４からの光がマーク１にその観察面１ａ側から照射されるのを、遮蔽体６が遮ることで、コントラスト良くマーク１のシルエットを観察できる。特にマーク１が金属等の反射率の高い材料からなる場合であっても、コントラスト良く観察できる。
【００１４】
さらに、光源４を、マーク１を取り囲むようにリング状に複数配置したため、マーク１が均等に照明され、光量ムラのない、良好な像が観察される。
【００１５】
しかも、光源４は被観察体２の観察面２ａ側から光２０を照射するので、上記従来の照明装置におけるように、光源をテーブルに埋め込まなくてもよく、被観察体２の観察面２ａと反対側の面に、光を拡散する材料（拡散板３）を配置するだけでよいので、製造が容易で、しかも安価な照明装置および照明方法が得られる。さらに、
例えばＸＹテーブル等の被観察体移動手段等を容易に配置できる。
【００１６】
実施の形態２．
図２は本発明の実施の形態２による照明方法および照明装置の構成を説明するための断面図である。
本実施の形態では、遮蔽体６は、円錐筒状の形状を有し、光源４から被観察体２に照射される光２０の内、被観察体２の観察面２ａに対して垂直に照射される光２４（本明細書ではこの光２４を遮蔽角度が９０°の光と呼ぶ。）を境とし、それよりもマーク１側に傾斜して照射される光２５（本明細書ではこの光２４を遮蔽角度が９０°を超える光と呼ぶ。）を遮るように、すなわち、光の遮蔽角度が９０°以下になるように、構成されている。他の構成は実施の形態１と同じである。
【００１７】
遮蔽角度７が９０°を超える光２５は、台５で正反射し、内挿マーク１を、図２において斜め下側から照明するため、ゴースト像２６が発生し、影の位置にズレが生じる。しかしながら、本実施の形態では、遮蔽角度が９０°を超える光２５を遮蔽体６で遮るように構成されているので、ゴースト像２６の発生を防止し、位置ずれのない正確な像が観察される。
【００１８】
なお、遮蔽角度が９０°を超える光２５を遮蔽体６で遮るように構成する代わりに、図１で示した照明装置において、拡散板３の被観察体２と反対側に、光を吸収する光吸収手段を備えてもよい。光吸収手段として、より具体的には、例えば、拡散板３の台５側の面あるいは拡散板３が載置される台５の拡散板３側の面に、光を吸収する塗装（例えば黒色）を施してもよく、または、図１におけるマーク１の下に位置する部分だけ台５を削って空間を設けてもよい。
これによって、遮蔽角度が９０°を超える光は、光吸収手段で吸収されるので、ゴーストの発生を抑えることができる。
【００１９】
実施の形態３．
図３は本発明の実施の形態３による照明方法および照明装置の構成を説明するための断面図である。
本実施の形態では、遮光手段として、光源４と被観察体２との間で、かつ光源４とマーク１との間に、凸レンズ１２を配置している。他の構成は実施の形態１と同じである。
このような構成によれば、マーク１の観察面１ａに照射される光源４からの光２２は凸レンズ１２での屈折によって遮光されるため、マーク１の観察面１ａが光源４によって照明されることはない。その結果、実施の形態１の場合と同様の効果が得られる。
【００２０】
なお、光源４を、マーク１を取り囲むようにリング状に配置した場合には、凸レンズ１２としては、マーク１を取り囲むドーナツ形状のものを用いるのが望ましく、光源４からの光がマーク１にその観察面１ａ側から照射されるのを確実に遮ることができる。
【００２１】
実施の形態４．
図４は本発明の実施の形態４による照明方法および照明装置の構成を説明するための断面図である。
本実施の形態では、凸レンズ１２の形状を工夫したり、マーク１と光源４に対する凸レンズ１２の位置を工夫したりすることにより、光源４から被観察体２に照射される光の内、被観察体２の観察面２ａに対して垂直に照射される光２４（遮蔽角度が９０°の光）を境とし、それよりもマーク１側に傾斜して照射される光（遮蔽角度が９０°を超える光）を遮るように、すなわち、遮蔽角度が９０°以下になるように、凸レンズ１２を構成している。
【００２２】
より具体的に説明すると、例えば、図４に示すように、凸レンズ１２を光源４の真下に（光源４から被観察体２の観察面２ａに垂線を引いた場合に、その垂線上に凸レンズ１２の主点が来るように）配置し、かつ、凸レンズ１２の主点と光源４との間隔を凸レンズ１２の焦点距離と同じにすれば、凸レンズ１２を透過した光２４は垂直に被観察体１に照射され、遮蔽角度が９０°以下になる。
【００２３】
実施の形態３で説明したように、遮蔽角度が９０°を超える光２５は、台５で反射し、有害なゴースト像２６を生み出すが、この光２５を凸レンズ１２による屈折で遮光しているため、位置ずれのない正確な像が観察される。
【００２４】
なお、実施の形態２で説明したのと同様に、遮蔽角度が９０°を超える光２５を凸レンズ１２で遮るように構成する代わりに、図３で示した照明装置において、拡散板３の被観察体２と反対側に、光を吸収する光吸収手段（光を吸収する塗装や空間等）を備えてもよい。この場合にも、遮蔽角度が９０°を超える光は、光吸収手段で吸収されるので、ゴーストの発生を抑えることができる。
【００２５】
実施の形態５．
図５は本発明の実施の形態５による照明方法および照明装置の構成を説明するための断面図である。
本実施の形態は、観察対象物がプリント配線板８である場合である。プリント配線板８は、図５に示すように、コア材と呼ばれる中央層９の両面に内層配線パターン（図示せず）並びに、非透光性材料からなる基板表面加工用ターゲットマーク１および裏面加工用ターゲットマーク（図示せず）が形成され、これらを覆うように例えば透光性の樹脂からなる層間絶縁層１０、１１が形成されている。すなわち、層間絶縁層１０および１１の内部に、それぞれ基板表面加工用ターゲットマーク１および裏面加工用ターゲットマーク（共にマークに相当する。）が埋め込まれている。なお、コア材と呼ばれる中央層９としては、ガラスエポキシ等の光を拡散する材料が使用されている。
【００２６】
本実施の形態では、非透光性材料からなる基板表面加工用ターゲットマーク１が内部に埋め込まれている層間絶縁層１０が、透光性材料からなる被観察体に相当し、光を拡散する材料からなる中央層９が光拡散手段に相当する。
【００２７】
本実施の形態においても、実施の形態１と同様に、光源４からの光は、透光性材料からなる被観察体である層間絶縁層１０を透過して光拡散手段である中央層９に至り、中央層９による散乱光２０が、層間絶縁層１０をその観察面１０ａと反対の側から透過照明するので、層間絶縁層１０の内部に埋め込まれている非透光性材料からなるマーク１の良好なシルエットを高精度に観察することができる。
ただし、図５において、プリント配線板８の上下を逆にして台５に設置した場合は、裏面加工用ターゲットマーク（図示せず）が内部に埋め込まれている層間絶縁層１１が、透光性材料からなる被観察体に相当する。
【００２８】
さらに、光源４からマーク１の観察面１ａに至る光２２を遮光手段（筒状の遮蔽体６）で遮光しているため、マーク１が金属等の反射し易い材料で形成されている場合でも、コントラスト良く観察することができる。
【００２９】
このように、本実施の形態においては、光照射手段（光源４）からの光がマーク１にその観察面１ａ側から照射されるのを遮り、かつ、光照射手段からの光を被観察体２にその観察面２ａ側から照射し、この照射された光が、被観察体２および被観察体２の観察面２ａと反対側の面に配置された光拡散手段（中央層９）を経て、被観察体２をその観察面２ａと反対の側から透過照明するので、透光性材料からなる被観察体２の内部に埋め込まれている、非透光性材料からなるマーク１を、コントラスト良く、高精度に観察することができる。
【００３０】
しかも、光源４は層間絶縁層１０の観察面１０ａ側から光を照射するので、従来の照明装置におけるように、光源をＸ−Ｙテーブルに埋め込まなくてもよく、被観察体（層間絶縁層１０）の観察面１０ａと反対側の面に、光を拡散する材料（中央層９）を配置するだけでよい、と言うよりすでに配置されているので、安価でしかも容易に製造できる。
【００３１】
さらに、プリント配線板８は、層間絶縁層１０、中央層９、層間絶縁層１１が一体的に形成されているので、層間絶縁層１１の中央層９と反対の側に、例えばＸＹテーブル等の被観察体移動手段や、被観察体２を吸着して固定するための吸着孔を容易に配置できる。
【００３２】
なお、上記では、本実施の形態によるプリント配線板８を実施の形態１に適用した場合について説明したが、実施の形態１に限らず、実施の形態２ないし４の何れに適用してもよい。
【産業上の利用可能性】
【００３３】
本発明による照明装置は、例えば多層プリント配線板の製造時に樹脂層（層間絶縁層）の下層に形成された位置決めマークを読み取るのに利用される。
また、透明モールド半導体のパターンの検査や、薬品や食品のピッキング等、透過照明が適しているものに、利用される。
【図面の簡単な説明】
【００３４】
【図１】本発明の実施の形態１による照明方法および照明装置の構成を説明するための断面図である。
【図２】本発明の実施の形態２による照明方法および照明装置の構成を説明するための断面図である。
【図３】本発明の実施の形態３による照明方法および照明装置の構成を説明するための断面図である。
【図４】本発明の実施の形態４による照明方法および照明装置の構成を説明するための断面図である。
【図５】本発明の実施の形態５による照明方法および照明装置の構成を説明するための断面図である。
【符号の説明】
【００３５】
１  マーク、１ａ  マークの観察面、２  被観察体、２ａ  被観察体の観察面、３  拡散板、４  光源、５  台、６  遮蔽体、８  プリント基板、９  中央層、１０，１１  層間絶縁層、２  凸レンズ、２０  拡散板内部を進行する光を示す矢印、２１  拡散板から上向きに散乱する光を示す矢印、２２  マークの観察面に照射される光を示す矢印、２３  マークの観察面で反射した光を示す矢印、２４  遮蔽角度が９０°の光を示す矢印、２５  遮蔽角度が９０°を超える光を示す矢印、２６  ゴースト像。
【図１】
2005070016.tif 000003
【図２】
2005070016.tif 000004
【図３】
2005070016.tif 000005
【図４】
2005070016.tif 000006
【図５】
2005070016.tif 000007